(57)【要約】【課題】簡単な構造で防火性能を向上させることができる扉の機器取付部の防火構造の提供を目的とする。【解決手段】扉１の室内外側壁面に設置される室内外設置機器２、３と、  室内外設置機器２、３の少なくとも一方に固定される金属製の裏板部材４と、  前記裏板部材４に開設された配線用開口５を挿通して前記室内外設置機器２、３間を配線する配線手段６とを有し、  前記裏板部材４には、底壁部が開放され、前記配線用開口５に適宜間隔隔てて対峙する背面壁７と、背面壁７に隣接する周壁８とを有する金属製の遮炎キャップ９を着脱自在に連結する。【選択図】  図２
2020023845.tif 000002
【特許請求の範囲】
【請求項１】
扉の室内外側壁面に設置される室内外設置機器と、
室内外設置機器の少なくとも一方に固定される金属製の裏板部材と、
前記裏板部材に開設された配線用開口を挿通して前記室内外設置機器間を配線する配線手段とを有し、
前記裏板部材には、底壁部が開放され、前記配線用開口に適宜間隔隔てて対峙する背面壁と、背面壁に隣接する周壁とを有する金属製の遮炎キャップを着脱自在に連結した扉の機器取付部の防火構造。
【請求項２】
前記室内外設置機器は、前記裏板部材から突出して扉内を貫通する連結杆を介して相互に連結されるとともに、
前記遮炎キャップは、上端部に形成された上部取付片を前記連結杆に連結させるとともに、下端部を裏板部材の配線用開口の下縁に係止させて所定位置に保持される請求項１記載の扉の機器取付部の防火構造。
【請求項３】
前記遮炎キャップには水平方向に折り曲げ可能で、折り曲げ姿勢において前記連結杆に干渉して係止解除位置への移動を規制する折曲片が設けられる請求項２記載の扉の機器取付部の防火構造。
【請求項４】
扉の表面に設置される設置機器に固定される金属製の裏板部材に着脱自在に装着され、前記裏板部材に開設された配線用開口を閉塞する金属製の遮炎キャップであって、
前記配線用開口の下端縁に係止する係止部と、
裏板部材への装着状態において前記配線用開口から適宜間隔隔てて対峙する背面壁、および背面壁に隣接する周壁とを有し、底壁部が開放された本体部と、
を有する遮炎キャップ。
【請求項５】
水平方向に折り曲げ可能で、折曲状態で扉の表裏に設置される設置機器を連結する連結杆に干渉して係止部の係止解除位置への移動を規制する折曲片を備える請求項４記載の遮炎キャップ。
【発明の詳細な説明】
【技術分野】
【０００１】
本発明は、扉の機器取付部の防火構造に関するものである。
【背景技術】
【０００２】
扉に錠制御装置等の機器を取り付ける構造としては、特許文献１記載のものが知られている。この従来例において、扉には室内設置機器である室内側受信機と、室外設置機器である室外側受信機には各々ケーブルの挿通口が開設された金属製の裏板が固定される。室内設置機器に対応する裏板と室外設置機器に対応する裏板の挿通口は相互に正対することのないように正面視においてずれた位置に形成されており、挿通口からの火炎の直進が防止される。
【先行技術文献】
【特許文献】
【０００３】
【特許文献１】特開２００７-２９６４４号公報
【発明の概要】
【発明が解決しようとする課題】
【０００４】
しかし、上述した従来例において室内外側の設置機器に対応して各々裏板を用意する必要があるために、構造が複雑になるという欠点がある。
【０００５】
本発明は、以上の欠点を解消すべくなされたものであって、簡単な構造で防火性能を向上させることができる扉の機器取付部の防火構造の提供を目的とする。
【０００６】
また、本発明の他の目的は、上記構造に適用可能な遮炎キャップの提供を目的とする。
【課題を解決するための手段】
【０００７】
本発明によれば上記目的は、
扉１の室内外側壁面に設置される室内外設置機器２、３と、
室内外設置機器２、３の少なくとも一方に固定される金属製の裏板部材４と、
前記裏板部材４に開設された配線用開口５を挿通して前記室内外設置機器２、３間を配線する配線手段６とを有し、
前記裏板部材４には、底壁部が開放され、前記配線用開口５に適宜間隔隔てて対峙する背面壁７と、背面壁７に隣接する周壁８とを有する金属製の遮炎キャップ９を着脱自在に連結した扉の機器取付部の防火構造を提供することにより達成される。
【０００８】
本発明において、扉１の室内外側壁面には各々室内外設置機器２、３が取り付けられ、少なくともいずれか一方には金属製の裏板部材４が固定され、この裏板部材４には、配線手段６を挿通させるための配線用開口５が開設される。
【０００９】
なお、本明細書において配線手段６には裏板部材４が固定される設置機器に直接固定されるコネクタ、このコネクタにプラグイン接続されるコネクタ、およびコネクタに連結されるケーブル等が含まれる。
【００１０】
裏板部材４には配線用開口５に適宜間隔隔てて対峙する背面壁７と、周壁８とを有してキャップ形状に形成される遮炎キャップ９が装着される。
【００１１】
火災が発生して配線用開口５内に侵入した炎は、遮炎キャップ９の背面壁７により反対壁方向への直進が妨げられるために、反対壁面までの炎の到達時間を長くして避難時間を確保する等の防災性能を向上させることができる。
【００１２】
また、遮炎キャップ９は裏板部材４に着脱自在に装着されるために、裏板部材４に遮炎キャップ９の連結部を用意しておくと、遮炎キャップ９の装着の有無により異なった防災仕様の製品を提供することができる。
【００１３】
さらに、扉の機器取付部の防火構造は、
前記室内外設置機器２、３は、前記裏板部材４から突出して扉１内を貫通する連結杆１０を介して相互に連結されるとともに、
前記遮炎キャップ９は、上端部に形成された上部取付片１１を前記連結杆１０に連結させるとともに、下端部を裏板部材４の配線用開口５の下縁に係止させて所定位置に保持されるように構成することができる。
【００１４】
遮炎キャップ９の上端部を連結杆１０に連結し、下端部を配線用開口５の下縁に係止させることにより、裏板部材４には別途遮炎キャップ９の取付構造を設ける必要がなくなるために、構造が簡単になる。
【００１５】
また、
前記遮炎キャップ９には水平方向に折り曲げ可能で、折り曲げ姿勢において前記連結杆１０に干渉して係止解除位置への移動を規制する折曲片１２が設けられる扉の機器取付部の防火構造を構成すると、簡単な構造で、装着後の不用意な離脱を確実に防止することができる。
【００１６】
以上の防火構造には、
扉１の表面に設置される設置機器に固定される金属製の裏板部材４に着脱自在に装着され、前記裏板部材４に開設された配線用開口５を閉塞する金属製の遮炎キャップ９であって、
前記配線用開口５の下端縁に係止する係止部１３と、
裏板部材４への装着状態において前記配線用開口５から適宜間隔隔てて対峙する背面壁７、および背面壁７に隣接する周壁８とを有し、底壁部が開放された本体部１４と、
を有する遮炎キャップ９を使用することができる。
【図面の簡単な説明】
【００１７】
【図１】本発明を示す分解斜視図である。
【図２】本発明が適用された扉を示す図で、（ａ）は室内側から見た正面図、（ｂ）は断面図、（ｃ）は（ｂ）の要部拡大図である。
【図３】裏板部材を示す図で、（ａ）は断面図、（ｂ）は（ａ）の３Ｂ方向矢視図である。
【図４】遮炎キャップを示す図で、（ａ）は正面図、（ｂ）は（ａ）の４Ｂ-４Ｂ線断面図、（ｃ）は正面側から見た斜視図、（ｄ）は背面方向から見た斜視図である。
【図５】遮炎キャップの装着状態を示す図で、（ａ）は図３（ｂ）に対応する図、（ｂ）は図５（ａ）の５Ｂ-５Ｂ線断面図である。
【発明を実施するための形態】
【００１８】
図１以下に本発明の実施の形態を示す。
【００１９】
本例において、扉１の室外側壁面にカード認証装置（室外設置機器３）が、室内側壁面にカード認証装置３に給電するためのバッテリケース（室内設置機器２）が設置される。
【００２０】
利用者が所持する図外のカードがカード認証装置３により認証されると、扉１内に固定された電気錠１６が解錠状態に移行し、ついで、図外のハンドルを操作することにより扉１を開放操作することができる。
【００２１】
扉１の室外側壁面に設置されるカード認証装置３の裏面、すなわち、室内側の面には金属材料により形成される裏板部材４が固定される。図１に示すように、裏板部材４の固定には、裏板部材４に形成されるビス挿通孔４ａを挿通し、カード認証装置３に形成されたボス３ａにねじ込まれるビス４ｂが使用される。
【００２２】
裏板部材４には金属パイプにより形成される連結杆１０が裏面方向に突設され、該連結杆１０の自由端内周壁に形成された雌ねじ１０ａにねじ込まれるボルト１５によりバッテリケース２が固定される。ボルト１５をねじ込んだ状態においてバッテリケース２とカード認証装置３とは扉１の室内側壁面を挟み付けるようにして固定され、ボルト１５の頭部１５ａが室内側に向けて配置され、扉１の室外側壁面には金属製の裏板部材４が配置されることから、室外壁面からのカード認証装置３の取り外し操作を困難にして防犯性能を向上させている。
【００２３】
バッテリケース２からカード認証装置３に給電するために、バッテリケース２とカード認証装置３とは配線手段６を構成するケーブル６ａ、およびカード認証装置３に固定されたコネクタ６ｂにプラグイン接続される図外のコネクタを使用して接続され、裏板部材４には配線手段６を通過させるための配線用開口５が開設される。本例において配線用開口５は、カード認証装置３に固定されるコネクタ６ｂを通過させるために使用される。
【００２４】
図３（ｂ）に示すように、配線用開口５は、コネクタ６ｂの挿通スペースに加え、左右両側縁部に上下方向に延びる切欠部５ａが設けられる。
【００２５】
上記裏板部材４には遮炎キャップ９が装着される。図４に示すように、遮炎キャップ９は金属板材を折り曲げて形成され、背面壁７と、背面壁７に隣接する左右側壁８ａ、および天井壁８ｂからなる周壁８を備える本体部１４と、本体部１４の天井壁８ｂの先端を上方に折り曲げて形成される上部取付片１１とを有する。
【００２６】
本例において、上記本体部１４は、背面壁７、左右側壁８ａ、および天井壁８ｂが直方体形状の側壁面に対応し、底壁部、および背面壁７に対向する正面壁部が開放された形状を有しており、左右両側壁間の間隔（幅方向寸法）は、配線用開口５の幅方向寸法よりやや小寸に形成されるとともに、左右両側壁の高さ寸法は配線用開口５の高さ寸法に比して大寸に形成される。
【００２７】
また、上記本体部１４の左右両側壁８ａの奥行方向端縁には配線用開口５の切欠部５ａに挿入可能な高さ寸法を有する挿入片１４ａが突設されており、この挿入片１４ａと、左右両側壁８ａの端縁との間に配線用開口５の下端縁、正確には切欠部５ａの下端縁に係止可能なフック形状の係止部１３が形成される。
【００２８】
さらに、上記上部取付片１１には、上下方向に長い長孔１１ａが開設される。この長孔１１ａは、裏板部材４から突設する連結杆１０が挿通可能で、かつ、上記係止部１３が配線用開口５の下縁に係止した状態で上端縁が連結杆１０にほぼ接触する長さに形成される。
【００２９】
また、上部取付片１１の側縁には折曲片１２が突設される。この折曲片１２は、展開状態で上部係止部１３の側縁から側方に突設されており、裏板部材４への装着前の状態では、図４に示すように、背面壁７方向に水平に折り曲げられている。この折曲片１２はさらに水平方向に折り曲げて上部取付片１１と平行姿勢に移動させることが可能であり、折曲片１２の上縁は、係止部１３が配線用開口５の下縁に係止し、該折曲片１２を上部取付片１１と平行姿勢になるまで折り曲げた状態で係止部１３の係止深さに比して小寸の間隔をおいて連結杆１０の下方に位置するように設定される。
【００３０】
一方、扉１には、図２に示すように、室内外壁面間を貫通する設置孔１ａと、扉１内に固定される電気錠１６のラッチ解除操作を行うための図外のハンドルを挿通させるハンドル挿通孔１ｂとが開設される。カード認証装置３、およびバッテリケース２の取り付けに際し、裏板部材４をカード認証装置３に固定するとともに、ケーブル６ａに固定した図外のコネクタをカード認証装置３のコネクタ６ｂにプラグイン接続する。
【００３１】
この後、裏板部材４に遮炎キャップ９を装着し、さらに、上記ケーブルの他端に固定されたコネクタをバッテリケース２側の図外のコネクタにプラグイン接続し、最後に、バッテリケース２のボルト挿通孔２ａを挿通するボルト１５を連結杆１０の雌ねじ１０ａにねじ込んでバッテリケース２を室内側壁面に固定して取付作業が完了する（図１参照）。
【００３２】
バッテリケース２、およびカード認証装置３を取り付けた状態で、図５に示すように、遮炎キャップ９は係止部１３が通線用開口５の下端縁に係止するとともに、上部取付片１１の長孔１１ａに連結杆１０が挿通した状態で、裏面方向への転びが規制された状態で所定位置に保持される。
【００３３】
また、遮炎キャップ９を裏板部材４に装着した後、折曲片１２を本体部１４の背面壁７に並行位置になるまで水平方向に折り曲げると、図５（ｂ）に示すように、折曲片１２が本体部１４の天井壁８ｂと連結杆１０との間に位置する。上述したように、折曲片１２の上縁と連結杆１０のとの間には、係止部１３における係止寸法以下の隙間しかないために、遮炎キャップ９が上方にずれた場合であっても、係止部１３の係止が解除されることはないために、不用意な脱落を完全に防止することができる。
【００３４】
以上のようにして遮炎キャップ９を装着した室内外設置機器２、３を設置することにより構成される防火構造によれば、裏板部材４により室内外設置機器２、３取付用の開口部は閉塞され、さらに、裏板部材４の通線用開口５には遮炎キャップ９の背面壁７が対峙するとともに、遮炎キャップ９の底壁部にはケーブルの引き出しスペースが確保される。
【００３５】
したがって、火元が室内外いずれであっても、炎は裏板部材４、および遮炎キャップ９の背面壁７により直進的な進行が妨げられるために、延焼速度を低めることができる。
【００３６】
また、遮炎キャップ９は室内外設置機器２、３の設置時に防火仕様の場合にのみ取り付けることができるために、利用者のニーズに合わせて遮炎キャップ９を装着しないタイプを選択することも可能になる。
【００３７】
なお、以上においては、裏板部材４を室外設置機器であるカード認証装置３にのみ設ける場合を示したが、バッテリケース２にも設けたり、あるいはバッテリケース２にのみ設けることができる。
【００３８】
また、遮炎キャップ９は直方体形状に形成される場合を示したが、半球殻形状等、適宜の形状に形成することができる。
【符号の説明】
【００３９】
１        扉
２        室内設置機器
３        室外設置機器
４        裏板部材
５        配線用開口
６        配線手段
７        背面壁
８        周壁
９        遮炎キャップ
１０      連結杆
１１      上部取付片
１２      折曲片
１３      係止部
１４      本体部
【図１】
2020023845.tif 000003
【図２】
2020023845.tif 000004
【図３】
2020023845.tif 000005
【図４】
2020023845.tif 000006
【図５】
2020023845.tif 000007